(57)【要約】【課題】電磁波を設定する際の処理時間を短縮する。【解決手段】ＩＦ信号出力装置（電磁波出力装置）１０は、電磁波の出力時間、周波数、位相および振幅の設定値を、同時に更新するグループに対応付けて記録する設定値記録部１０２と、グループに対応付けられたパラメータの二種類以上の設定値を、電磁波に同時に設定する電磁波設定部（周波数設定部１０８ａ、位相設定部１０８ｂ、振幅設定部１０８ｃおよびタイミング設定部１１０）とを備える。グループに対応付けられていないパラメータ（例えば、出力時間）は、グループに関する設定よりも前に設定された値のままとする。ＩＦ信号出力装置１０は、上記のようにして設定された電磁波（ＩＦ信号）を出力する。【選択図】図２
2013024704.tif 000002
【特許請求の範囲】
【請求項１】
電磁波の二種類以上のパラメータの設定値を、同時に更新するグループに対応付けて記録する設定値記録部と、
前記グループに対応付けられた前記パラメータの二種類以上の前記設定値を、前記電磁波に同時に設定する電磁波設定部と、
を備え、
前記グループに対応付けられていない前記パラメータは、前記グループに関する設定よりも前に設定された値のままとし、
設定された前記電磁波を出力する電磁波出力装置。
【請求項２】
請求項１に記載の電磁波出力装置であって、
前記グループに対応付けられた前記パラメータの前記設定値が二つ以上ある場合には、いずれか一つを選択して、設定に用いる、
電磁波出力装置。
【請求項３】
請求項１に記載の電磁波出力装置であって、
前記設定値記録部から前記設定値を同時に読み出す、複数の読出部と、
前記読出部の読出結果のうち、同一グループに属するものを前記電磁波設定部に与える設定制御部と、
を備え、
前記読出部の個数は、前記パラメータの種類の数以上である、
電磁波出力装置。
【請求項４】
請求項１ないし３のいずれか一項に記載の電磁波出力装置であって、
前記パラメータは、前記電磁波の出力時間、周波数、位相および振幅のいずれか二種類以上である、
電磁波出力装置。
【請求項５】
請求項１ないし４のいずれか一項に記載の電磁波出力装置と、
前記電磁波に基づく信号を試料に与える送信部と、
前記電磁波に基づく信号を前記試料が受けたことに起因する前記試料からの信号を受ける受信部と、
前記受信部の受信結果に基づき前記試料を測定する測定部と、
を備えた核磁気共鳴分析装置。
【請求項６】
電磁波の二種類以上のパラメータの設定値を、同時に更新するグループに対応付けて記録する設定値記録工程と、
前記グループに対応付けられた前記パラメータの二種類以上の前記設定値を、前記電磁波に同時に設定する電磁波設定工程と、
を備え、
前記グループに対応付けられていない前記パラメータは、前記グループに関する設定よりも前に設定された値のままとし、
設定された前記電磁波を出力する電磁波出力方法。
【請求項７】
設定された電磁波を出力する電磁波出力装置における設定処理をコンピュータに実行させるためのプログラムであって、
前記設定処理は、
前記電磁波の二種類以上のパラメータの設定値を、同時に更新するグループに対応付けて記録する設定値記録工程と、
前記グループに対応付けられた前記パラメータの二種類以上の前記設定値を、前記電磁波に同時に設定する電磁波設定工程と、
を備え、
前記グループに対応付けられていない前記パラメータは、前記グループに関する設定よりも前に設定された値のままとするプログラム。
【請求項８】
設定された電磁波を出力する電磁波出力装置における設定処理をコンピュータに実行させるためのプログラムを記録したコンピュータによって読み取り可能な記録媒体であって、
前記設定処理は、
前記電磁波の二種類以上のパラメータの設定値を、同時に更新するグループに対応付けて記録する設定値記録工程と、
前記グループに対応付けられた前記パラメータの二種類以上の前記設定値を、前記電磁波に同時に設定する電磁波設定工程と、
を備え、
前記グループに対応付けられていない前記パラメータは、前記グループに関する設定よりも前に設定された値のままとする記録媒体。
【発明の詳細な説明】
【技術分野】
【０００１】
本発明は、核磁気共鳴分析装置における試料に与える電磁波の設定に関する。
【背景技術】
【０００２】
従来より、ＮＭＲ装置（核磁気共鳴分析装置）において、試料に与える電磁波として、ＤＤＳ（ダイレクト  デジタル  シンセサイザ：Direct Digital Synthesizer）で変調した電磁波を使用することが知られている（例えば、特許文献１の要約を参照）。例えば、ＤＤＳにより、電磁波の周波数、位相および振幅を変調して、試料に与えてもよい。ここで、電磁波の変調波形を、より理想的な波形に近づけるためには、変調を行うための時間を短縮する（スループットを上げることを意味する）ことが好ましい。
【先行技術文献】
【特許文献】
【０００３】
【特許文献１】特開２００６−１１８９６１号公報
【発明の概要】
【発明が解決しようとする課題】
【０００４】
しかしながら、電磁波の振幅のみならず周波数および位相までも変調しようとすると、処理が複雑になるため、スループットが落ちてしまう。
【０００５】
そこで、本発明は、電磁波を設定する際の処理時間を短縮することを課題とする。
【課題を解決するための手段】
【０００６】
本発明にかかる電磁波出力装置は、電磁波の二種類以上のパラメータの設定値を、同時に更新するグループに対応付けて記録する設定値記録部と、前記グループに対応付けられた前記パラメータの二種類以上の前記設定値を、前記電磁波に同時に設定する電磁波設定部と、を備え、前記グループに対応付けられていない前記パラメータは、前記グループに関する設定よりも前に設定された値のままとし、設定された前記電磁波を出力するように構成される。
【０００７】
上記のように構成された電磁波出力装置は、設定値記録部は、電磁波の二種類以上のパラメータの設定値を、同時に更新するグループに対応付けて記録する。電磁波設定部は、前記グループに対応付けられた前記パラメータの二種類以上の前記設定値を、前記電磁波に同時に設定する。さらに、前記グループに対応付けられていない前記パラメータは、前記グループに関する設定よりも前に設定された値のままとする。しかも、設定された前記電磁波を出力する。
【０００８】
なお、本発明にかかる電磁波出力装置は、前記グループに対応付けられた前記パラメータの前記設定値が二つ以上ある場合には、いずれか一つを選択して、設定に用いるようにしてもよい。
【０００９】
なお、本発明にかかる電磁波出力装置は、前記設定値記録部から前記設定値を同時に読み出す、複数の読出部と、前記読出部の読出結果のうち、同一グループに属するものを前記電磁波設定部に与える設定制御部と、を備え、前記読出部の個数は、前記パラメータの種類の数以上であるようにしてもよい。
【００１０】
なお、本発明にかかる電磁波出力装置は、前記パラメータは、前記電磁波の出力時間、周波数、位相および振幅のいずれか二種類以上であるようにしてもよい。
【００１１】
本発明は、上記の電磁波出力装置と、前記電磁波に基づく信号を試料に与える送信部と、前記電磁波に基づく信号を前記試料が受けたことに起因する前記試料からの信号を受ける受信部と、前記受信部の受信結果に基づき前記試料を測定する測定部とを備えた核磁気共鳴分析装置である。
【００１２】
本発明は、電磁波の二種類以上のパラメータの設定値を、同時に更新するグループに対応付けて記録する設定値記録工程と、前記グループに対応付けられた前記パラメータの二種類以上の前記設定値を、前記電磁波に同時に設定する電磁波設定工程と、を備え、前記グループに対応付けられていない前記パラメータは、前記グループに関する設定よりも前に設定された値のままとし、設定された前記電磁波を出力する電磁波出力方法である。
【００１３】
本発明は、設定された電磁波を出力する電磁波出力装置における設定処理をコンピュータに実行させるためのプログラムであって、前記設定処理は、前記電磁波の二種類以上のパラメータの設定値を、同時に更新するグループに対応付けて記録する設定値記録工程と、前記グループに対応付けられた前記パラメータの二種類以上の前記設定値を、前記電磁波に同時に設定する電磁波設定工程と、を備え、前記グループに対応付けられていない前記パラメータは、前記グループに関する設定よりも前に設定された値のままとするプログラムである。
【００１４】
本発明は、設定された電磁波を出力する電磁波出力装置における設定処理をコンピュータに実行させるためのプログラムを記録したコンピュータによって読み取り可能な記録媒体であって、前記設定処理は、前記電磁波の二種類以上のパラメータの設定値を、同時に更新するグループに対応付けて記録する設定値記録工程と、前記グループに対応付けられた前記パラメータの二種類以上の前記設定値を、前記電磁波に同時に設定する電磁波設定工程と、を備え、前記グループに対応付けられていない前記パラメータは、前記グループに関する設定よりも前に設定された値のままとする記録媒体である。
【図面の簡単な説明】
【００１５】
【図１】本発明の実施形態にかかる核磁気共鳴分析装置１の構成を示す機能ブロック図である。
【図２】本発明の実施形態にかかるＩＦ信号出力装置（電磁波出力装置）１０の構成を示す機能ブロック図である。
【図３】設定値記録部１０２の記録内容の一例を示す図である。
【図４】本発明の実施形態の動作を示すフローチャートである。
【発明を実施するための形態】
【００１６】
以下、本発明の実施形態を図面を参照しながら説明する。
【００１７】
図１は、本発明の実施形態にかかる核磁気共鳴分析装置１の構成を示す機能ブロック図である。核磁気共鳴分析装置１は、ＩＦ信号出力装置（電磁波出力装置）１０、アップコンバータ１２、ＮＭＲプローブ（送信部、受信部）２０、ダウンコンバータ２２、Ａ／Ｄ変換器２４、測定部２６を備える。
【００１８】
ＩＦ信号出力装置（電磁波出力装置）１０は、電磁波を出力する。出力される電磁波は、ＩＦ信号、すなわち中間周波数（IF : Intermediate Frequency）信号である。
【００１９】
アップコンバータ１２は、ＩＦ信号の周波数を大きくして、ＲＦ（Radio Frequency）信号として、ＮＭＲプローブ２０に与える。ただし、ＩＦ信号をそのままＮＭＲプローブ２０に与えるようにしてもよい。
【００２０】
ＮＭＲプローブ（送信部）２０は、電磁波に基づく信号（ＲＦ信号）を試料に与える。さらに、ＮＭＲプローブ（受信部）２０は、電磁波に基づく信号（ＲＦ信号）を試料が受けたことに起因する試料からの信号（ＮＭＲ信号）を受ける。ＮＭＲ信号は、例えば、ＲＦ信号でもある。
【００２１】
ダウンコンバータ２２は、ＮＭＲ信号の周波数を小さくして、ＩＦ信号として、Ａ／Ｄ変換器２４に与える。
【００２２】
Ａ／Ｄ変換器２４は、ダウンコンバータ２２の出力するアナログ信号を、デジタル信号に変換する。
【００２３】
測定部２６は、ＮＭＲプローブ（受信部）２０の受信結果に基づき（すなわち、Ａ／Ｄ変換器２４の出力に基づき）試料を測定する。
【００２４】
図２は、本発明の実施形態にかかるＩＦ信号出力装置（電磁波出力装置）１０の構成を示す機能ブロック図である。
【００２５】
ＩＦ信号出力装置（電磁波出力装置）１０は、設定値記録部１０２、第一読出部１０４ａ、第二読出部１０４ｂ、第三読出部１０４ｃ、第四読出部１０４ｄ、設定制御部１０６、周波数設定部１０８ａ、位相設定部１０８ｂ、振幅設定部１０８ｃ、タイミング設定部１１０、ＤＤＳ（ダイレクト  デジタル  シンセサイザ：Direct Digital Synthesizer）１１２を有する。
【００２６】
設定値記録部１０２は、電磁波の二種類以上のパラメータ（本実施形態では、電磁波の出力時間、周波数、位相および振幅）の設定値を、同時に更新するグループに対応付けて記録する。
【００２７】
図３は、設定値記録部１０２の記録内容の一例を示す図である。設定値記録部１０２は、左列に、電磁波の出力時間（単位：マイクロ秒）、周波数（単位：MHz）、（初期）位相（単位：deg）、振幅（電圧）（単位：V）を記録している。
【００２８】
設定値記録部１０２は、右列に、電磁波のパラメータのイベントフラグが記録されている。イベントフラグが１である場合は、グループの終端を意味する。イベントフラグが０である場合は、グループの終端ではないことを意味する。
【００２９】
例えば、１〜４行目の、出力時間が１マイクロ秒（１マイクロ秒づつＩＦ信号を出力することを意味する）、周波数が５００MHz、（初期）位相が９０度、振幅（電圧）が１V（イベントフラグが１：グループの終端）というように設定を同時に更新することを意味する。この１〜４行目が、グループ１である。これらのパラメータの設定値が、タイミング設定部１１０、周波数設定部１０８ａ、位相設定部１０８ｂおよび振幅設定部１０８ｃにより、電磁波に同時に設定される。
【００３０】
同様に、５〜７行目がグループ２であり、８行目がグループ３であり、９〜１２行目がグループ４である。例えば、５〜７行目のパラメータの設定値が、周波数設定部１０８ａ、位相設定部１０８ｂおよび振幅設定部１０８ｃにより、電磁波に同時に設定される。
【００３１】
第一読出部１０４ａは、設定値記録部１０２の１行目、５行目、９行目、…、すなわち（１＋４N）行目（ただし、Nは０以上の整数）の設定値およびイベントフラグを読み出して、設定制御部１０６に与える。
【００３２】
第二読出部１０４ｂは、設定値記録部１０２の２行目、６行目、１０行目、…、すなわち（２＋４N）行目（ただし、Nは０以上の整数）の設定値およびイベントフラグを読み出して、設定制御部１０６に与える。
【００３３】
第三読出部１０４ｃは、設定値記録部１０２の３行目、７行目、１１行目、…、すなわち（３＋４N）行目（ただし、Nは０以上の整数）の設定値およびイベントフラグを読み出して、設定制御部１０６に与える。
【００３４】
第四読出部１０４ｄは、設定値記録部１０２の４行目、８行目、１２行目、…、すなわち（４＋４N）行目（ただし、Nは０以上の整数）の設定値およびイベントフラグを読み出して、設定制御部１０６に与える。
【００３５】
なお、第一読出部１０４ａ、第二読出部１０４ｂ、第三読出部１０４ｃおよび第四読出部１０４ｄの読出しは、同時に並行して行うことが好ましい。また、本実施形態において、読出部は、第一読出部１０４ａ、第二読出部１０４ｂ、第三読出部１０４ｃおよび第四読出部１０４ｄの４個であるが、読出部が４個以上あってもよい。すなわち、読出部の個数は、パラメータの種類の数以上とする。
【００３６】
設定制御部１０６は、第一読出部１０４ａ、第二読出部１０４ｂ、第三読出部１０４ｃおよび第四読出部１０４ｄの読出し結果を受け、グループに対応付けられたパラメータの二種類以上の設定値を、電磁波に同時に設定するように、周波数設定部１０８ａ、位相設定部１０８ｂ、振幅設定部１０８ｃおよびタイミング設定部１１０を制御する。ただし、設定制御部１０６は、グループに対応付けられていないパラメータは、グループに関する設定よりも前に設定された値のままとするように、周波数設定部１０８ａ、位相設定部１０８ｂ、振幅設定部１０８ｃおよびタイミング設定部１１０を制御する。
【００３７】
例えば、設定制御部１０６は、第一読出部１０４ａ、第二読出部１０４ｂ、第三読出部１０４ｃおよび第四読出部１０４ｄの読出し結果（５〜８行目）を受ける。さらに、設定制御部１０６は、グループ２に対応付けられたパラメータの設定値（５〜７行目）を、電磁波に同時に設定するように、周波数設定部１０８ａ、位相設定部１０８ｂおよび振幅設定部１０８ｃを制御する。なお、設定制御部１０６は、周波数設定部１０８ａ、位相設定部１０８ｂおよび振幅設定部１０８ｃに、読出し結果（５〜７行目）を与える。ただし、設定制御部１０６は、グループ２に対応付けられていないパラメータ（出力時間）は、グループ２に関する設定よりも前に設定された値（グループ１の１マイクロ秒）のままとする。
【００３８】
しかも、設定制御部１０６は、グループに対応付けられたパラメータの設定値が二つ以上ある場合には、いずれか一つを選択して、設定に用いる。例えば、設定制御部１０６は、
グループ４に対応付けられたパラメータ（振幅）の設定値が二つ（２V、４V：１１、１２行目参照）あるが、後に記録されている４V（１２行目）を設定に用いる。
【００３９】
周波数設定部１０８ａ、位相設定部１０８ｂ、振幅設定部１０８ｃおよびタイミング設定部１１０は、いずれも電磁波設定部である。これらの電磁波設定部は、グループに対応付けられたパラメータの二種類以上の設定値を、電磁波に同時に設定する。具体的には、ＤＤＳ１１２に設定値どおりの電磁波を出力させるように、ＤＤＳ１１２を設定する。
【００４０】
周波数設定部１０８ａは、電磁波の周波数を設定する。位相設定部１０８ｂは、電磁波の初期位相を設定する。振幅設定部１０８ｃは、電磁波の振幅（電圧）を設定する。タイミング設定部１１０は、電磁波を出力する出力時間を設定する。
【００４１】
例えば、グループ１に関しては、周波数設定部１０８ａが電磁波の周波数を５００MHz、位相設定部１０８ｂが電磁波の（初期）位相を９０度、振幅設定部１０８ｃが電磁波の振幅（電圧）を１Vに同時に設定する。しかも、タイミング設定部１１０が、さらに同時に出力時間を１マイクロ秒に設定し、周波数設定部１０８ａ、位相設定部１０８ｂおよび振幅設定部１０８ｃに、上記の周波数（５００MHz）、位相（９０度）および振幅（１V）を１マイクロ秒継続させる。ただし、位相は初期位相が９０度ということになる。
【００４２】
ＤＤＳ（ダイレクト  デジタル  シンセサイザ：Direct Digital Synthesizer）１１２は、周波数設定部１０８ａ、位相設定部１０８ｂおよび振幅設定部１０８ｃによる設定を受け、設定値どおりの電磁波を出力する。ＤＤＳ１１２の出力が、設定された電磁波（ＩＦ信号）となる。
【００４３】
次に、本発明の実施形態の動作を説明する。図４は、本発明の実施形態の動作を示すフローチャートである。
【００４４】
設定値記録部１０２に記録された設定値の内で、設定していないものがあれば（Ｓ１０、Ｎｏ）、設定制御部１０６内部の設定値を更新する（Ｓ１２）。設定値の更新は、イベントフラグが１にならない（Ｓ１４、Ｎｏ）限り、続行する。
【００４５】
すなわち、第一読出部１０４ａ、第二読出部１０４ｂ、第三読出部１０４ｃおよび第四読出部１０４ｄが、設定値記録部１０２の記録内容を同時に読み出して、設定制御部１０６に同時に与える。そして、イベントフラグが１にならない限り、設定制御部１０６が設定値を更新する。
【００４６】
イベントフラグが１になると（Ｓ１４、Ｙｅｓ）、設定制御部１０６は、周波数設定部１０８ａ、位相設定部１０８ｂ、振幅設定部１０８ｃおよびタイミング設定部１１０を制御して、設定値どおりの電磁波をＤＤＳ１１２が出力するようにする（Ｓ１６）。なお、周波数設定部１０８ａ、位相設定部１０８ｂ、振幅設定部１０８ｃおよびタイミング設定部１１０による設定は同時に行われる。
【００４７】
例えば、図３（１〜４行目：グループ１）を参照し、第一読出部１０４ａが１マイクロ秒を読出し、設定制御部１０６に与える。すると、設定制御部１０６の内部では、出力時間が１マイクロ秒に更新される。イベントフラグが０なので（Ｓ１４、Ｎｏ）、設定値の更新が続行される。
【００４８】
すると、第二読出部１０４ｂが、すでに５００MHzを読出し、設定制御部１０６に与えている。すると、設定制御部１０６の内部では、周波数が５００MHzに更新される。イベントフラグが０なので（Ｓ１４、Ｎｏ）、設定値の更新が続行される。
【００４９】
すると、第三読出部１０４ｃが、すでに９０度を読出し、設定制御部１０６に与えている。すると、設定制御部１０６の内部では、位相が９０度に更新される。イベントフラグが０なので（Ｓ１４、Ｎｏ）、設定値の更新が続行される。
【００５０】
すると、第四読出部１０４ｄが、すでに１Vを読出し、設定制御部１０６に与えている。すると、設定制御部１０６の内部では、振幅が１Vに更新される。イベントフラグが１なので（Ｓ１４、Ｙｅｓ）、設定制御部１０６は、周波数設定部１０８ａ、位相設定部１０８ｂ、振幅設定部１０８ｃおよびタイミング設定部１１０を制御して、設定値どおりの電磁波をＤＤＳ１１２が出力するようにする（Ｓ１６）。なお、周波数設定部１０８ａ、位相設定部１０８ｂ、振幅設定部１０８ｃおよびタイミング設定部１１０による設定は同時に行われる。また、第一読出部１０４ａ、第二読出部１０４ｂ、第三読出部１０４ｃおよび第四読出部１０４ｄが、設定値記録部１０２の記録内容を同時に読み出す。
【００５１】
そして、設定値記録部１０２に記録された設定値の内で、設定していないものの有無の判定（Ｓ１０）に戻る。
【００５２】
すると、図３（５〜７行目：グループ２）を参照し、第一読出部１０４ａが６００MHzを読出し、設定制御部１０６に与える。すると、設定制御部１０６の内部では、周波数が６００MHzに更新される。イベントフラグが０なので（Ｓ１４、Ｎｏ）、設定値の更新が続行される。
【００５３】
すると、第二読出部１０４ｂが、すでに１３５度を読出し、設定制御部１０６に与えている。すると、設定制御部１０６の内部では、位相が１３５度に更新される。イベントフラグが０なので（Ｓ１４、Ｎｏ）、設定値の更新が続行される。
【００５４】
すると、第三読出部１０４ｃが、すでに２Vを読出し、設定制御部１０６に与えている。すると、設定制御部１０６の内部では、振幅が２Vに更新される（なお、第四読出部１０４ｄが３Vを読出しているが、グループ３についての設定に使用される）。イベントフラグが１なので（Ｓ１４、Ｙｅｓ）、設定制御部１０６は、周波数設定部１０８ａ、位相設定部１０８ｂおよび振幅設定部１０８ｃを制御して、設定値どおりの電磁波をＤＤＳ１１２が出力するようにする（Ｓ１６）。なお、周波数設定部１０８ａ、位相設定部１０８ｂおよび振幅設定部１０８ｃによる設定は同時に行われる。また、第一読出部１０４ａ、第二読出部１０４ｂ、第三読出部１０４ｃおよび第四読出部１０４ｄが、設定値記録部１０２の記録内容を同時に読み出す。
【００５５】
なお、グループ２に対応付けられていないパラメータ（出力時間）は、グループ２に関する設定よりも前に設定された値（グループ１の１マイクロ秒）のままとする。すなわち、出力時間を１マイクロ秒のままにすればよい場合は、「１マイクロ秒」と最初（１行目）に設定しておけばよく、グループ２、３、４、…において、「１マイクロ秒」と記載する必要が無いことに留意されたい。
【００５６】
次に、図３（８行目：グループ３）を参照し、第四読出部１０４ｄが読み出した３Vが設定制御部１０６に与えられている。すると、設定制御部１０６の内部では、振幅が３Vに更新される。イベントフラグが１なので（Ｓ１４、Ｙｅｓ）、設定制御部１０６は、振幅設定部１０８ｃを制御して、設定値どおりの電磁波をＤＤＳ１１２が出力するようにする（Ｓ１６）。ただし、周波数は６００MHzのままであり、位相は特に変更は無く、出力時間は１マイクロ秒のままである。
【００５７】
さらに、図３（９〜１２行目：グループ４）を参照し、第一読出部１０４ａが５００MHzを読出し、設定制御部１０６に与える。すると、設定制御部１０６の内部では、周波数が５００MHzに更新される。イベントフラグが０なので（Ｓ１４、Ｎｏ）、設定値の更新が続行される。
【００５８】
すると、第二読出部１０４ｂが、すでに１３５度を読出し、設定制御部１０６に与えている。すると、設定制御部１０６の内部では、位相が１３５度に更新される。イベントフラグが０なので（Ｓ１４、Ｎｏ）、設定値の更新が続行される。
【００５９】
すると、第三読出部１０４ｃが、すでに２Vを読出し、設定制御部１０６に与えている。すると、設定制御部１０６の内部では、振幅が２Vに更新される。イベントフラグが０なので（Ｓ１４、Ｎｏ）、設定値の更新が続行される。さらに、第四読出部１０４ｄが、すでに４Vを読出し、設定制御部１０６に与えている。すると、設定制御部１０６の内部では、振幅が４Vに更新される。
【００６０】
このように、グループ４に対応付けられたパラメータ（振幅）の設定値が二つ（２V、４V）ある場合には、後に記録されている４V（１２行目）を設定に用いる。ただし、前に記録されている２V（１１行目）を設定に用いるようにすることも考えられる。
【００６１】
イベントフラグが１なので（Ｓ１４、Ｙｅｓ）、設定制御部１０６は、周波数設定部１０８ａ、位相設定部１０８ｂおよび振幅設定部１０８ｃを制御して、設定値どおりの電磁波をＤＤＳ１１２が出力するようにする（Ｓ１６）。なお、周波数設定部１０８ａ、位相設定部１０８ｂおよび振幅設定部１０８ｃによる設定は同時に行われる。ただし、出力時間は１マイクロ秒のままである。また、第一読出部１０４ａ、第二読出部１０４ｂ、第三読出部１０４ｃおよび第四読出部１０４ｄが、設定値記録部１０２の記録内容を同時に読み出す。
【００６２】
このようにして、設定値記録部１０２に記録された設定値を最後まで設定することができる。設定値記録部１０２に記録された設定値を最後まで設定すれば（Ｓ１０、Ｙｅｓ）、ＩＦ信号出力装置１０はＩＦ信号の出力を停止する。
【００６３】
本発明の実施形態によれば、グループ２に対応付けられているパラメータ（周波数、位相および振幅）が同時に設定されるため、これらのパラメータを順次設定する場合に比べて、設定のための時間を短縮することができる。
【００６４】
しかも、グループ２に対応付けられていないパラメータ（出力時間）は、グループ２に関する設定よりも前に設定された値（グループ１の１マイクロ秒）のままとする。すなわち、出力時間を１マイクロ秒のままにすればよい場合は、「１マイクロ秒」と最初（１行目）に設定しておけばよく、グループ２、３、４、…において、「１マイクロ秒」と記載する必要が無い。これにより、設定値記録部１０２に記録されるデータのサイズを小さくすることができる。また、タイミング設定部１１０の設定の更新を、１グループごとに行う必要も無く、更新する頻度を減らすことができる。
【００６５】
さらに、グループ４に対応付けられたパラメータ（振幅）の設定値が二つ（２V、４V）ある場合には、いずれか一つを選択して設定に使用するので、設定の競合を防止できる。
【００６６】
また、上記の実施形態は、以下のようにして実現できる。ＣＰＵ、ハードディスク、メディア（フロッピー（登録商標）ディスク、ＣＤ−ＲＯＭなど）読み取り装置を備えたコンピュータに、上記の各部分、例えばＩＦ信号出力装置１０を実現するプログラムを記録したメディアを読み取らせて、ハードディスクにインストールする。このような方法でも、上記の機能を実現できる。
【符号の説明】
【００６７】
１  核磁気共鳴分析装置
１０  ＩＦ信号出力装置（電磁波出力装置）
１２  アップコンバータ
２０  ＮＭＲプローブ（送信部、受信部）
２２  ダウンコンバータ
２４  Ａ／Ｄ変換器
２６  測定部
１０２  設定値記録部
１０４ａ  第一読出部
１０４ｂ  第二読出部
１０４ｃ  第三読出部
１０４ｄ  第四読出部
１０６  設定制御部
１０８ａ  周波数設定部
１０８ｂ  位相設定部
１０８ｃ  振幅設定部
１１０  タイミング設定部
１１２  ＤＤＳ
【図１】
2013024704.tif 000003
【図２】
2013024704.tif 000004
【図３】
2013024704.tif 000005
【図４】
2013024704.tif 000006